(57)【要約】【課題】複数の表示体を駆動する場合の駆動回路の負荷を軽減する。【解決手段】表示装置１００は、複数のデータ線１７の各々に画素Ｐ1が接続された第１表示体１０と、複数のデータ線２７の各々に画素Ｐ2が接続された第２表示体２０とを具備する。データ線駆動回路４４は、複数のデータ線１７を挟んで第２表示体２０とは反対側から複数のデータ線１７の各々にデータ信号Ｄ[1]〜Ｄ[n]を出力する。複数のデータ線１７を挟んでデータ線駆動回路４４とは反対側にはｎ個の単位回路Ｑ[1]〜Ｑ[n]が配置される。第ｊ段目の単位回路Ｑ[j]は、第１表示体１０の第ｊ列目のデータ線１７と第２表示体２０の第ｊ列目のデータ線２７との間に介在するとともに、データ線１７に供給されたデータ信号Ｄ[j]を保持したうえでデータ線２７に出力する。【選択図】図１
2009157258.tif 000002
【特許請求の範囲】
【請求項１】
複数の第１配線の各々に画素が接続された第１表示体と、
複数の第２配線の各々に画素が接続された第２表示体と、
前記複数の第１配線を挟んで前記第２表示体とは反対側から前記複数の第１配線の各々に駆動信号を出力する駆動回路と、
前記第１表示体および前記第２表示体の一方に配置されて前記各第１配線と前記各第２配線との間に介在するとともに前記第１配線に供給された駆動信号を保持して前記第２配線に出力する複数の単位回路と
を具備する表示装置。
【請求項２】
前記複数の単位回路の各々は、
前記第１配線に供給された駆動信号を複数の単位期間の各々における第１期間にて保持する第１保持手段と、前記第１保持手段が保持する駆動信号を前記複数の単位期間の各々における第２期間にて前記第２配線に出力する第１出力手段とを含む第１部分と、
前記第１配線に供給された駆動信号を前記複数の単位期間の各々における前記第２期間にて保持する第２保持手段と、前記第２保持手段が保持する駆動信号を前記複数の単位期間の各々における前記第１期間にて前記第２配線に出力する第２出力手段とを含む第２部分と
を有する請求項１の表示装置。
【請求項３】
複数の第１配線の各々に画素が接続された第１表示体と、
複数の第２配線の各々に画素が接続された第２表示体と、
前記第１表示体および前記第２表示体の一方において前記複数の第１配線と前記複数の第２配線との間に配置されて複数の駆動信号を出力する駆動回路と、
前記複数の第１配線の各々に対する前記各駆動信号の供給の可否を制御する複数の第１スイッチと、
前記複数の第２配線の各々に対する前記各駆動信号の供給の可否を制御する複数の第２スイッチと
を具備する表示装置。
【請求項４】
複数の第１配線の各々に画素が接続された第１表示体と、
複数の第２配線の各々に画素が接続された第２表示体と、
前記第１表示体および前記第２表示体の一方において前記複数の第１配線と前記複数の第２配線との間に配置されて前記各第１配線と前記各第２配線とに駆動信号を出力する駆動回路と
を具備する表示装置。
【請求項５】
前記駆動回路は、前記各画素に指定された階調に応じたデータ信号を前記駆動信号として出力するデータ線駆動回路である
請求項１から請求項４の何れかの表示装置。
【請求項６】
前記駆動回路は、データ信号の供給の対象となる画素を選択する走査信号を前記駆動信号として出力する走査線駆動回路である
請求項１から請求項４の何れかの表示装置。
【請求項７】
前記第１表示体および前記第２表示体の他方に配置されて電源電位を生成する電源回路を具備し、
前記駆動回路は、前記電源回路から電源電位の供給を受けて動作する
請求項１から請求項６の何れかの表示装置。
【請求項８】
前記第１表示体または前記第２表示体の状態に応じた検出信号を生成する検出手段と、
前記第１表示体および前記第２表示体の他方に配置されて前記検出信号を処理する信号処理手段と
を具備し、
前記第１表示体および前記第２表示体の一方に配置された駆動回路は、前記信号処理手段による処理後の検出信号に基づいて前記駆動信号を生成する
請求項１から請求項７の何れかの表示装置。
【請求項９】
請求項１から請求項８の何れかの表示装置を具備する電子機器。
【発明の詳細な説明】
【技術分野】
【０００１】
本発明は、複数の表示体に画像を表示する技術に関する。
【背景技術】
【０００２】
複数の表示体を具備する電子機器が従来から提案されている。例えば、携帯電話機に代表される電子機器においては、表面側に画像を表示する表示体と背面側を画像を表示する表示体とが設置される。特許文献１や特許文献２には、第１表示体と第２表示体とを具備する表示装置において、第１表示体に実装された駆動回路（走査線駆動回路やデータ線駆動回路）を第１表示体の各画素の駆動と第２表示体の各画素の駆動とに兼用する技術が開示されている。
【特許文献１】特開２００３−３２３１６４号公報
【特許文献２】特開２００４−１１７７５５号公報
【発明の開示】
【発明が解決しようとする課題】
【０００３】
しかし、特許文献１や特許文献２の構成においては、駆動回路に接続された配線（例えば走査線やデータ線）が第１表示体と第２表示体とにわたって連続するから、駆動回路がひとつの表示体のみを駆動する場合と比較して駆動回路の負荷が過大となる。以上の事情に鑑みて、本発明は、複数の表示体を駆動する場合の駆動回路の負荷を軽減することを目的とする。
【課題を解決するための手段】
【０００４】
以上の課題を解決するために、本発明の第１の態様に係る表示装置は、複数の第１配線（例えば図１や図４や図５の走査線１５やデータ線１７）の各々に画素が接続された第１表示体と、複数の第２配線（例えば図１や図４や図５の走査線２５やデータ線２７）の各々に画素が接続された第２表示体と、複数の第１配線を挟んで第２表示体とは反対側から複数の第１配線の各々に駆動信号を出力する駆動回路（例えば図１や図４のデータ線駆動回路４４や図５の走査線駆動回路４２）と、第１表示体および第２表示体の一方に配置されて各第１配線と各第２配線との間に介在するとともに第１配線に供給された駆動信号を保持して第２配線に出力する複数の単位回路とを具備する。以上の構成においては、第１表示体と第２表示体とで駆動回路が共用されるから、第１表示体および第２表示体の各々に駆動回路を個別に配置した構成と比較して表示装置の構成を簡素化できる。また、第１配線に供給された駆動信号が単位回路に保持されたうえで第２配線に出力されるから、第１配線と第２配線とが直接に接続された構成と比較して駆動回路の負荷が軽減される。なお、第１の態様に係る表示装置の具体例は、第１実施形態（図１）や第２実施形態（図５）として後述される。
【０００５】
第１の態様に係る表示装置において、複数の単位回路の各々は、例えば、第１配線に供給された駆動信号を複数の単位期間の各々における第１期間にて保持する第１保持手段（例えば図２の保持部５１１）と、第１保持手段が保持する駆動信号を複数の単位期間の各々における第２期間にて第２配線に出力する第１出力手段（例えば図２の出力部５１３）とを含む第１部分と、第１配線に供給された駆動信号を複数の単位期間の各々における第２期間にて保持する第２保持手段（例えば図２の保持部５２１）と、第２保持手段が保持する駆動信号を複数の単位期間の各々における第１期間にて第２配線に出力する第２出力手段（例えば図２の出力部５２３）とを含む第２部分とを具備する。以上の態様においては、第１出力手段と第２出力手段とが交互に駆動信号を第２配線に出力するから、第１保持手段や第２保持手段が駆動信号を保持する時間を充分に確保できる。
【０００６】
本発明の第２の態様に係る表示装置は、複数の第１配線の各々に画素が接続された第１表示体と、複数の第２配線の各々に画素が接続された第２表示体と、第１表示体および第２表示体の一方において複数の第１配線と複数の第２配線との間に配置されて複数の駆動信号を出力する駆動回路と、複数の第１配線の各々に対する各駆動信号の供給の可否を制御する複数の第１スイッチ（例えば図６のスイッチＳＷa1やスイッチＳＷb1）と、複数の第２配線の各々に対する各駆動信号の供給の可否を制御する複数の第２スイッチ（例えば図６のスイッチＳＷa2やスイッチＳＷb2）とを具備する。以上の構成においては、第１表示体と第２表示体とで駆動回路が共用されるから、第１表示体および第２表示体の各々に駆動回路を個別に配置した構成と比較して表示装置の構成を簡素化できる。また、各第１配線に対する駆動信号の供給の可否と各第２配線に対する駆動信号の供給の可否とが第１スイッチおよび第２スイッチによって制御されるから、例えば各第１スイッチおよび各第２スイッチの何れかを択一的に導通させて各画素を駆動することで、駆動回路の負荷を軽減することが可能である。なお、第２の態様に係る表示装置の具体例は、第３実施形態（図６）として後述される。
【０００７】
本発明の第３の態様に係る表示装置は、複数の第１配線の各々に画素が接続された第１表示体と、複数の第２配線の各々に画素が接続された第２表示体と、第１表示体および第２表示体の一方において複数の第１配線と複数の第２配線との間に配置されて各第１配線と各第２配線とに駆動信号を出力する駆動回路とを具備する。以上の構成においては、第１表示体と第２表示体とで駆動回路が共用されるから、第１表示体および第２表示体の各々に駆動回路を個別に配置した構成と比較して表示装置の構成を簡素化できる。なお、第３の態様に係る表示装置の具体例は、第４実施形態（図７）として後述される。
【０００８】
以上の各態様に係る表示装置において、各画素に指定された階調に応じたデータ信号を駆動信号として出力するデータ線駆動回路や、データ信号の供給の対象となる画素を選択する走査信号を駆動信号として出力する走査線駆動回路が、駆動回路として好適に採用される。
【０００９】
以上の各態様に係る表示装置において、例えば、第１表示体および第２表示体の他方に配置されて電位を生成する電源回路が設置され、駆動回路は、電源回路から電源電位の供給を受けて動作する。以上の態様によれば、第１表示体および第２表示体の一方に駆動回路とともに電源回路を配置する構成と比較して第１表示体の構成が簡素化される。
【００１０】
以上の各態様に係る表示装置において、例えば、第１表示体または第２表示体の状態に応じた検出信号を生成する検出手段（例えば図８の検出体８１や検出体８２）と、第１表示体および第２表示体の他方に配置されて検出信号を処理する信号処理手段とが設置され、第１表示体および第２表示体の一方に配置された駆動回路は、信号処理手段による処理後の検出信号に基づいて駆動信号を生成する。以上の態様によれば、第１表示体および第２表示体の一方に駆動回路とともに信号処理手段を配置した構成と比較して第１表示体の構成が簡素化される。
【発明を実施するための最良の形態】
【００１１】
＜Ａ：第１実施形態＞
図１は、本発明の第１実施形態に係る表示装置の構成を示すブロック図である。図１に示すように、表示装置１００は、第１表示体１０と第２表示体２０と制御回路７０とを具備する。第１表示体１０および第２表示体２０の各々は画像を表示する別体の画像表示器である。制御回路７０は、第１表示体１０および第２表示体２０の動作を制御する。例えば、制御回路７０は、第１表示体１０および第２表示体２０の何れかを指定して画像を表示させる。
【００１２】
第１表示体１０は、基板１１と基板１２との間隙に液晶が封止された液晶装置である。第２表示体２０も同様に、基板２１と基板２２との間隙に液晶が封止された液晶装置である。第１表示体１０と第２表示体２０とは、基板１１と基板２１とに接合されたフレキシブル配線基板７５を介して電気的に接続される。実際には第１表示体１０の背面側に第２表示体２０が位置するようにフレキシブル配線基板７５が湾曲し、第１表示体１０と第２表示体２０との間隙には両者を照明する照明装置（図示略）が介挿される。
【００１３】
第１表示体１０の基板１１にはＸ方向に延在するｍ本の走査線１５とＹ方向に延在するｎ本のデータ線１７とが形成される。各走査線１５と各データ線１７との交差に対応した位置には画素Ｐ1が配置される。複数の画素Ｐ1は表示領域Ａ1内に行列状に配列する。図１に示すように各画素Ｐ1はトランジスタ３２と電気光学素子３４とを含む。トランジスタ３２は、電気光学素子３４とデータ線１７との間に介在するとともにゲートが走査線１５に接続される。
【００１４】
第２表示体２０においても同様に、Ｘ方向に延在するｍ本の走査線２５とＹ方向に延在するｎ本のデータ線２７とが基板２１に形成され、各走査線２５と各データ線２７との交差には画素Ｐ2が配置される。複数の画素Ｐ2は表示領域Ａ2内に行列状に配列する。画素Ｐ2は、画素Ｐ1と同様にトランジスタ３２と電気光学素子３４とを含む。トランジスタ３２は、電気光学素子３４とデータ線２７との間に介在するとともにゲートが走査線２５に接続される。画素Ｐ1および画素Ｐ2の各々における電気光学素子３４は、画素電極と対向電極（何れも図示略）との間に液晶が介在する液晶容量である。
【００１５】
第１表示体１０の基板１１のうち表示領域Ａ1を挟んで第２表示体２０とは反対側の領域には走査線駆動回路４２とデータ線駆動回路４４とが配置される。走査線駆動回路４２およびデータ線駆動回路４４は、基板１１の表面に直接に形成された相補型のトランジスタ（例えば半導体層が低温ポリシリコンやアモルファスシリコンで形成された薄膜トランジスタ）で構成される。
【００１６】
走査線駆動回路４２は、第１表示体１０のｍ本の走査線１５と第２表示体２０のｍ本の走査線２５とに接続される。制御回路７０が画像の表示先として第１表示体１０を指定した場合、走査線駆動回路４２は、各走査線１５に走査信号ＹA[1]〜ＹA[m]を出力することでｍ本の走査線１５の各々を順次に選択する。一方、制御回路７０が第２表示体２０を指定した場合、走査線駆動回路４２は、各走査線２５に走査信号ＹB[1]〜ＹB[m]を出力することでｍ本の走査線２５の各々を順次に選択する。
【００１７】
また、制御回路７０は、第１表示体１０を指定した場合には各画素Ｐ1の階調を指定する階調データをデータ線駆動回路４４に出力し、第２表示体２０を指定した場合には各画素Ｐ2の階調を指定する階調データをデータ線駆動回路４４に出力する。データ線駆動回路４４は、階調データに対応するデータ信号Ｄ[1]〜Ｄ[n]を生成してｎ本のデータ線１７の各々に出力する。第ｊ列目（ｊ＝１〜ｎ）のデータ線１７に出力されるデータ信号Ｄ[j]は、第ｊ列目の何れかの画素（Ｐ1，Ｐ2）の階調データに応じて電圧値が設定された電圧信号である。図１に示すように、データ信号Ｄ[1]〜Ｄ[n]は、第２表示体２０とは反対側の端部から各データ線１７に供給される。
【００１８】
第１表示体１０の基板１１のうち表示領域Ａ1からみて第２表示体２０側（データ線駆動回路４４とは反対側）には信号制御部５２が配置される。信号制御部５２は、第２表示体２０のデータ線２７の本数（あるいは第１表示体１０のデータ線１７の本数）に相当するｎ個の単位回路Ｑ[1]〜Ｑ[n]をＸ方向に配列した回路である。第ｊ段目の単位回路Ｑ[j]は、第１表示体１０の第ｊ列目のデータ線１７と第２表示体２０の第ｊ列目のデータ線２７（詳細には第ｊ列目のデータ線２７に接続されるフレキシブル配線基板７５の配線）との間に介在する。制御回路７０は、信号ＳEL1と信号ＳEL2とをｎ個の単位回路Ｑ[1]〜Ｑ[n]に対して共通に供給する。
【００１９】
図２は、単位回路Ｑ[j]の回路図である。図２に示すように、単位回路Ｑ[j]は第１部分５１と第２部分５２とに区分される。第１部分５１は保持部５１１と出力部５１３とを含み、第２部分５２は保持部５２１と出力部５２３とを含む。保持部５１１および保持部５２１の各々はスイッチＳＷ1と容量素子Ｃとで構成される。スイッチＳＷ1は、第１表示体１０における第ｊ列目のデータ線１７と接続点Ｎとの間に介在して両者の電気的な接続（導通／非導通）を制御する。容量素子Ｃは、接続点Ｎと接地線（または他の定電位線）との間に介挿される。一方、出力部５１３および出力部５２３の各々はバッファ回路ＢFとスイッチＳＷ2とで構成される。バッファ回路ＢFの入力端は接続点Ｎに接続される。スイッチＳＷ2は、バッファ回路ＢFの出力端と第２表示体２０における第ｊ列目のデータ線２７との間に介在して両者の電気的な接続を制御する。第１部分５１のスイッチＳＷ1と第２部分５２のスイッチＳＷ2とは信号ＳEL1に応じて制御され、第１部分５１のスイッチＳＷ2と第２部分５２のスイッチＳＷ1とは信号ＳEL2に応じて制御される。
【００２０】
次に、表示装置１００の動作を説明する。画像の表示先として第１表示体１０を指定した場合、制御回路７０は、信号ＳEL1および信号ＳEL2の双方をローレベルに設定する。したがって、単位回路Ｑ[1]〜Ｑ[n]の各々において第１部分５１および第２部分５２の双方におけるスイッチＳＷ1およびスイッチＳＷ2がオフ状態となる。すなわち、第２表示体２０のデータ線２７は第１表示体１０のデータ線１７から電気的に切り離される。以上の状態において、走査線駆動回路４２は、走査信号ＹA[1]〜ＹA[m]を出力することで第１表示体１０のｍ本の走査線１５の各々を順次に選択する一方、データ線駆動回路４４は、第１表示体１０の各画素Ｐ1の階調データに応じたデータ信号Ｄ[1]〜Ｄ[n]をｎ本のデータ線１７の各々に出力する。したがって、データ信号Ｄ[1]〜Ｄ[n]に応じた電圧が第１表示体１０の各画素Ｐ1の電気光学素子３４に印加され、第１表示体１０の表示領域Ａ1には階調データに応じた画像が表示される。
【００２１】
画像の表示先として第２表示体２０を指定した場合、制御回路７０は、図３に示すように、単位期間ＴUを周期として変動する信号ＳEL1および信号ＳEL2を生成して信号制御部５２に出力する。信号ＳEL1と信号ＳEL2とはレベルを反転させた関係にある。すなわち、信号ＳEL1は、各単位期間ＴUのうち前半の期間Ｔ1にてハイレベルを維持するとともに後半の期間Ｔ2にてローレベルを維持し、信号ＳEL2は、各単位期間ＴUのうち前半の期間Ｔ1にてローレベルを維持するとともに後半の期間Ｔ2にてハイレベルを維持する。一方、走査線駆動回路４２は第２表示体２０のｍ本の走査線２５の各々を順次に選択し、データ線駆動回路４４は、第２表示体２０の各画素Ｐ2の階調データに応じたデータ信号Ｄ[1]〜Ｄ[n]をｎ本のデータ線１７の各々に出力する。
【００２２】
図３には、単位回路Ｑ[j]の第１部分５１および第２部分５２の各々における容量素子Ｃが保持する電圧（接続点Ｎの電圧）がデータ信号Ｄ[j]の電圧の波形とともに図示されている。単位期間ＴUの期間Ｔ1においては、信号ＳEL1がハイレベルに設定されることで単位回路Ｑ[1]〜Ｑ[n]の各々における第１部分５１のスイッチＳＷ1がオン状態に制御される。したがって、第ｊ列目のデータ線１７に供給されたデータ信号Ｄ[j]が単位回路Ｑ[j]における第１部分５１の容量素子Ｃに保持される。容量素子Ｃに保持されたデータ信号Ｄ[j]は、図３に示すように、信号ＳEL1がローレベルに遷移することでスイッチＳＷ1がオフ状態に変化する単位期間ＴUの期間Ｔ2でも維持される。そして、期間Ｔ2においては、信号ＳEL2がハイレベルに設定されることで各単位回路Ｑ[j]における第１部分５１のスイッチＳＷ2がオン状態に制御される。したがって、直前の期間Ｔ1にて容量素子Ｃに保持されたデータ信号Ｄ[j]が、バッファ回路ＢFによる波形の整形後にスイッチＳＷ2を経由して第２表示体２０の第ｊ列目のデータ線２７に出力される。
【００２３】
一方、単位回路Ｑ[j]の第２部分５２においては、信号ＳEL2がハイレベルに設定される単位期間ＴUの期間Ｔ2にてスイッチＳＷ1がオン状態となることでデータ信号Ｄ[j]が容量素子Ｃに保持される。そして、直後の期間Ｔ1にて信号ＳEL1がハイレベルに設定されることでスイッチＳＷ2がオン状態に変化するから、図３のように容量素子Ｃに保持されたデータ信号Ｄ[j]が期間Ｔ1にて第２表示体２０の第ｊ列目のデータ線２７に出力される。すなわち、単位回路Ｑ[j]の第１部分５１がデータ線１７のデータ信号Ｄ[j]を保持するとともに第２部分５２が容量素子Ｃのデータ信号Ｄ[j]をデータ線２７に出力する動作と、単位回路Ｑ[j]の第１部分５１が容量素子ＣのデータＤ[j]をデータ線２７に出力するとともに第２部分５２がデータ線１７のデータ信号Ｄ[j]を保持する動作とが、単位期間ＴUの半分の時間長を周期として順次に反復される。
【００２４】
以上のように第２表示体２０のｎ本のデータ線２７にデータ信号Ｄ[1]〜Ｄ[n]を出力する動作に並行して第２表示体２０のｍ本の走査線２５の各々を走査線駆動回路４２が順次に選択するから、データ信号Ｄ[1]〜Ｄ[n]に応じた電圧が第２表示体２０の各画素Ｐ2の電気光学素子３４に印加され、第２表示体２０の表示領域Ａ2には階調データに応じた画像が表示される。なお、以上の説明から理解されるように、第２表示体２０に供給されるデータ信号Ｄ[j]は第１表示体１０におけるデータ信号Ｄ[j]と比較して単位期間ＴUの半分の時間長だけ遅延した信号となる。したがって、走査線駆動回路４２は、第２表示体２０に供給されるデータ信号Ｄ[j]の位相に合致するように走査信号ＹB[1]〜ＹB[m]を生成する。
【００２５】
以上に説明したように本形態においては、第１表示体１０と第２表示体２０とでデータ線駆動回路４４が共用されるから、第１表示体１０および第２表示体２０の各々に別個のデータ線駆動回路４４を配置する必要がない。したがって、表示装置１００にて消費される電力や表示装置１００の製造に必要なコストを削減することが可能である。また、データ線駆動回路４４には相補型のトランジスタが必要であるところ、本形態においては第２表示体２０にデータ線駆動回路４４を配置する必要がないから、第２表示体２０の基板２１に形成されるトランジスタ（例えば画素Ｐ2のトランジスタ）の導電型はｎチャネル型およびｐチャネル型の一方のみで足りる。したがって、第２表示体２０の基板２１に相補型のトランジスタを形成する場合と比較して第２表示体２０の製造を簡素化することが可能である。
【００２６】
また、第２表示体２０に画像を表示する場合に、第１表示体１０のデータ線１７にデータ線駆動回路４４から出力されたデータ信号Ｄ[j]は、単位回路Ｑ[j]に保持されたうえで第２表示体２０のデータ線２７に出力される。したがって、データ線１７とデータ線２７とが直接に接続された構成と比較して、データ線駆動回路４４での負荷が軽減されるという利点がある。さらに、本形態においては、単位回路Ｑ[j]の第１部分５１がデータ線２７にデータ信号Ｄ[j]を出力する期間Ｔ2では第２部分５２がデータ信号Ｄ[j]をデータ線１７から取込み、第２部分５２がデータ線２７にデータ信号Ｄ[j]を出力する期間Ｔ1では第１部分５１がデータ信号Ｄ[j]をデータ線１７から取込む。以上の構成によれば、容量素子Ｃにおけるデータ信号Ｄ[j]の保持のために充分な時間を確保できるという利点がある。したがって、バッファ回路ＢFの駆動能力が低い場合（例えば第１表示体１０の基板１１上に直接に形成された薄膜トランジスタでバッファ回路ＢFを構成した場合）であっても確実にデータ信号Ｄ[j]をデータ線２７に出力できる。
【００２７】
なお、以上の構成においては第１表示体１０の各走査線１５および第２表示体２０の各走査線２５を第１表示体１０上の走査線駆動回路４２で駆動したが、図４に示すように、各走査線１５を選択する走査線駆動回路４２Aが第１表示体１０に配置されるとともに各走査線２５を選択する走査線駆動回路４２Bが第２表示体２０に配置される構成も採用される。
【００２８】
＜Ｂ：第２実施形態＞
次に、本発明の第２実施形態について説明する。第１実施形態ではデータ線１７とデータ線２７との間に単位回路Ｑ[1]〜Ｑ[n]（信号制御部５２）を介在させた。本形態においては、第１表示体１０の走査線１５および第２表示体２０の走査線２５についても同様の構成を採用する。なお、以下の各形態において作用や機能が第１実施形態と同等である要素については、以上と同じ符号を付して各々の詳細な説明を適宜に省略する。
【００２９】
図５は、第１表示体１０の各走査線１５や第２表示体２０の各走査線２５と走査線駆動回路４２との関係を示すブロック図である。各データ線１７や各データ線２７とデータ線駆動回路４４および信号制御部５２との関係は第１実施形態と同様であるため図５では図示を省略した。図５に示すように、第１表示体１０の基板１１のうち第２表示体２０側（走査線駆動回路４２とは反対側）の周縁には信号制御部５４が配置される。信号制御部５４は、第２表示体２０の走査線２５の総数（第１表示体１０の走査線１５の総数）に相当するｍ個の単位回路Ｒ[1]〜Ｒ[m]をＸ方向に配列した回路である。単位回路Ｒ[1]〜Ｒ[m]の各々は、図２に例示した単位回路Ｑ[j]と同様に第１部分５１と第２部分５２とで構成され、制御回路７０から供給される信号ＳEL1および信号ＳEL2に応じて制御される。もっとも、信号制御部５２および信号制御部５４の各々を別系統の信号で制御してもよい。
【００３０】
信号制御部５４における第ｉ段目（ｉ＝１〜ｍ）の単位回路Ｒ[i]は、第１表示体１０における第ｉ行目の走査線１５と第２表示体２０における第ｉ行目の走査線２５との間に介在する。走査線駆動回路４２が生成および出力する走査信号Ｙ[1]〜Ｙ[m]は、第１表示体１０のｍ本の走査線１５の各々に供給されるとともに信号制御部５４のｍ個の単位回路Ｒ[1]〜Ｒ[m]の各々にも供給される。
【００３１】
単位回路Ｒ[i]の第１部分５１は、走査線１５に供給される走査信号Ｙ[i]を単位期間ＴUの期間Ｔ1にて容量素子Ｃに保持し、期間Ｔ2にてバッファ回路ＢFおよびスイッチＳＷ2から走査線２５に出力する。単位回路Ｒ[i]の第２部分５２は、走査線１５に供給される走査信号Ｙ[i]を単位期間ＴUの期間Ｔ2にて容量素子Ｃに保持し、直後の期間Ｔ1にてバッファ回路ＢFからスイッチＳＷ2を介して走査線２５に出力する。すなわち、第１表示体１０の各走査線１５に供給される走査信号Ｙ[1]〜Ｙ[m]が信号制御部５４にて単位期間ＴUの半分の時間長だけ遅延したうえで第２表示体２０の各走査線２５に供給される。データ線駆動回路４４および信号制御部５２は第１実施形態と同様に動作するから、本形態においては第１表示体１０の表示領域Ａ1と第２表示体２０の表示領域Ａ2とに同等の画像が並行して表示される。
【００３２】
以上に説明したように本形態においては、第１表示体１０の走査線１５に出力された走査信号Ｙ[i]が単位回路Ｒ[i]に保持されたうえで第２表示体２０の走査線２５に出力される。したがって、例えば走査線１５と走査線２５とが直接に接続された構成と比較して、走査線駆動回路４２の負荷が軽減されるという利点がある。さらに、単位回路Ｒ[i]における第１部分５１と第２部分５２とが交互に走査信号Ｙ[i]を出力するから、容量素子Ｃに走査信号Ｙ[i]を保持させる時間を充分に確保することができる。したがって、単位回路Ｒ[i]におけるバッファ回路ＢFの駆動能力が低い場合（例えば第１表示体１０の基板１１上に直接に形成された薄膜トランジスタでバッファ回路ＢFを構成した場合）であっても確実に走査信号Ｙ[i]を走査線２５に出力できる。
【００３３】
＜Ｃ：第３実施形態＞
図６は、本発明の第３実施形態に係る表示装置１００の構成を示すブロック図である。図６に示すように、第１表示体１０の基板１１の表面のうち表示領域Ａ1からみて第２表示体２０側（すなわち表示領域Ａ1と表示領域Ａ2との間隙）に走査線駆動回路４２およびデータ線駆動回路４４が配置される。基板１１のうちデータ線駆動回路４４と表示領域Ａ1との間隙にはｎ個のスイッチＳＷa1がＸ方向に配列する。第ｊ段目のスイッチＳＷa1は、データ線駆動回路４４におけるデータ信号Ｄ[j]の出力端と第１表示体１０の第ｊ列目のデータ線１７との間に介在して両者の電気的な接続を制御する。基板１１のうちデータ線駆動回路４４を挟んで表示領域Ａ1とは反対側の領域にはｎ個のスイッチＳＷa2がＸ方向に配列する。第ｊ段目のスイッチＳＷa2は、データ線駆動回路４４におけるデータ信号Ｄ[j]の出力端と第２表示体２０の第ｊ列目のデータ線２７との間に介在して両者の電気的な接続を制御する。
【００３４】
基板１１のうち走査線駆動回路４２と表示領域Ａ1との間隙にはｍ個のスイッチＳＷb1がＸ方向に配列する。第ｉ段目のスイッチＳＷb1は、走査線駆動回路４２における走査信号Ｙ[i]の出力端と第１表示体１０の第ｉ行目の走査線１５との間に介在して両者の電気的な接続を制御する。基板１１のうち走査線駆動回路４２を挟んで表示領域Ａ1とは反対側の領域にはｍ個のスイッチＳＷb2がＸ方向に配列する。第ｉ段目のスイッチＳＷb2は、走査線駆動回路４２における走査信号Ｙ[i]の出力端と第２表示体２０の第ｉ行目の走査線２５との間に介在して両者の電気的な接続を制御する。各スイッチ（ＳＷa1，ＳＷa2，ＳＷb1，ＳＷb2）は、例えば基板１１の表面に直接に形成された薄膜トランジスタである。
【００３５】
各スイッチＳＷa1および各スイッチＳＷb1は信号ＳEL1に応じて動作し、各スイッチＳＷa2および各スイッチＳＷb2は信号ＳEL2に応じて動作する。画像の表示先として第１表示体１０を指定した場合、制御回路７０は、各スイッチＳＷa1および各スイッチＳＷb1がオン状態となるように信号ＳEL1を設定するとともに各スイッチＳＷa2および各スイッチＳＷb2がオフ状態となるように信号ＳEL2を設定する。以上の状態においては、走査線駆動回路４２の出力する走査信号Ｙ[1]〜Ｙ[m]が第１表示体１０の各走査線１５に供給されるとともにデータ線駆動回路４４の出力するデータ信号Ｄ[1]〜Ｄ[n]が第１表示体１０の各データ線１７に供給される。したがって、第１表示体１０の表示領域Ａ1に画像が表示される。走査信号Ｙ[1]〜Ｙ[m]やデータ信号Ｄ[1]〜Ｄ[n]は第２表示体２０に供給されないから、第２表示体２０の表示領域Ａ2に画像は表示されない。
【００３６】
一方、画像の表示先として第２表示体２０を指定した場合、制御回路７０は、各スイッチＳＷa2および各スイッチＳＷb2がオン状態となるように信号ＳEL2を設定するとともに各スイッチＳＷa1および各スイッチＳＷb1がオフ状態となるように信号ＳEL1を設定する。したがって、走査信号Ｙ[1]〜Ｙ[m]が各走査線２５のみに供給されるとともに、データ信号Ｄ[1]〜Ｄ[n]が各データ線２７のみに供給される。したがって、画像は第２表示体２０の表示領域Ａ2のみに表示される。
【００３７】
以上に説明したように本形態においては、各走査線１５および各走査線２５の一方のみに走査信号Ｙ[1]〜Ｙ[m]が供給されるから、例えば走査線１５と走査線２５とが接続された構成（走査信号Ｙ[i]が走査線１５および走査線２５の双方に出力される構成）と比較して走査線駆動回路４２の負荷が軽減される。同様に、各データ線１７および各データ線２７の一方のみにデータ信号Ｄ[1]〜Ｄ[n]が供給されるから、データ線１７とデータ線２７とが接続された構成（データ信号Ｄ[j]がデータ線１７およびデータ線２７の双方に出力される構成）と比較してデータ線駆動回路４４の負荷が軽減される。しかも、本形態においては、第１実施形態の信号制御部５２や第２実施形態の信号制御部５４を配置する必要がない。また、走査線駆動回路４２が各走査線１５と各走査線２５との間に配置されるとともにデータ線駆動回路４４が各データ線１７と各データ線２７との間に配置されるから、第１表示体１０を駆動する場合と第２表示体２０を駆動する場合とで走査線駆動回路４２やデータ線駆動回路４４の負荷が均一化されるという利点がある。
【００３８】
＜Ｄ：第４実施形態＞
図７は、本発明の第４実施形態に係る表示装置１００のブロック図である。図７に示すように第１表示体１０と第２表示体２０とはＸ方向に配置されるとともにフレキシブル配線基板７５を介して電気的に接続される。第１表示体１０の基板１１にはデータ線駆動回路４４Aが配置される。データ線駆動回路４４Aは、第１表示体１０のｎ本のデータ線１７の各々にデータ信号ＤA[1]〜ＤA[n]を出力する。同様に、第２表示体２０の基板２１には、第２表示体２０のｎ本のデータ線２７の各々にデータ信号ＤB[1]〜ＤB[n]を出力するデータ線駆動回路４４Bが配置される。
【００３９】
第１表示体１０の基板１１のうち表示領域Ａ1からみて第２表示体２０側には走査線駆動回路４２が配置される。走査線駆動回路４２は、第３実施形態と同様にｍ系統の走査信号Ｙ[1]〜Ｙ[m]を生成して出力する。第１表示体１０の第ｉ行目の走査線１５および第２表示体２０の第ｉ行目の走査線２５はともに走査線駆動回路４２における走査信号Ｙ[i]の出力端に電気的に接続される。したがって、第ｉ行目の走査線１５と第ｉ行目の走査線２５とに対して共通の走査信号Ｙ[i]が供給される。
【００４０】
制御回路７０が画像の表示先として第１表示体１０を指定すると、データ線駆動回路４４Aが各データ線１７にデータ信号ＤA[1]〜ＤA[n]を出力する。データ線駆動回路４４Bは動作を停止するから、第１表示体１０の表示領域Ａ1のみに画像が表示される。一方、第２表示体２０が指定されると、データ線駆動回路４４Bのみが各データ線２７にデータ信号ＤB[1]〜ＤB[n]を出力することで第２表示体２０の表示領域Ａ2に画像が表示される。また、制御回路７０が第１表示体１０および第２表示体２０の双方を指定すると、データ線駆動回路４４Aおよびデータ線駆動回路４４Bの双方が動作することで表示領域Ａ1および表示領域Ａ2の双方に画像が表示される。
【００４１】
以上に説明したように本形態においては、第１表示体１０と第２表示体２０とで走査線駆動回路４２が共用されるから、第１表示体１０および第２表示体２０の各々に別個の走査線駆動回路４２を配置する必要がない。したがって、表示装置１００にて消費される電力や表示装置１００の製造に必要なコストを削減することが可能である。また、走査線駆動回路４２には相補型のトランジスタが必要であるところ、本形態においては第２表示体２０に走査線駆動回路４２を配置する必要がないから、第２表示体２０の基板２１に形成されるトランジスタの導電型をｎチャネル型およびｐチャネル型の一方のみとすることが可能である。したがって、第２表示体２０の基板２１に相補型のトランジスタを形成する場合と比較して第２表示体２０の製造を簡素化することが可能である。
【００４２】
＜Ｅ：第５実施形態＞
図８は、本発明の第５実施形態に係る表示装置１００のブロック図である。図８に示すように、本形態の表示装置１００は、検出体８１および検出体８２と信号処理部８４と電源回路８７とを第３実施形態の表示装置１００に追加した構成である。検出体８１は第１表示体１０の基板１１の表面に配置され、検出体８２と信号処理部８４と電源回路８７とは第２表示体２０の基板２１の表面に配置される。信号処理部８４や電源回路８７は、例えば、基板２１の表面に直接に形成された薄膜トランジスタで構成される。
【００４３】
検出体８１は、周囲の状態（第１表示体１０の状態）に応じた検出信号を生成するセンサである。同様に、検出体８２は、周囲の状態（第２表示体２０の状態）に応じた検出信号を生成するセンサである。例えば、周囲の温度を検出する温度センサや周囲の光量を検出する照度センサが検出体８１および検出体８２として好適に採用される。なお、検出体８１および検出体８２の一方のみを設置してもよい。
【００４４】
信号処理部８４は、検出体８１や検出体８２が生成した検出信号を処理する回路である。例えば、検出信号をデジタルデータに変換するＡ/Ｄ変換器や検出信号を増幅する増幅器が信号処理部８４として採用される。信号処理部８４による処理後の検出信号は制御回路７０に出力される。制御回路７０は、信号処理部８４から供給される検出信号に基づいて走査線駆動回路４２やデータ線駆動回路４４の動作を制御する。例えば、検出信号のレベルが高い場合（例えば第１表示体１０または第２表示体２０の温度が高い場合や第１表示体１０または第２表示体２０の周囲の光量が多い場合）に各データ信号Ｄ[1]〜Ｄ[n]の電圧値を上昇または低下させるといった具合である。ただし、検出体８１や検出体８２による検出の結果に応じた制御の内容は任意である。
【００４５】
図８の電源回路８７は、表示装置１００で使用される各種の電位（電源電位）を生成する回路（例えばチャージポンプ回路）である。電源回路８７が生成した電位は、フレキシブル配線基板７５上の配線を介して第１表示体１０の走査線駆動回路４２やデータ線駆動回路４４に供給される。走査線駆動回路４２やデータ線駆動回路４４は、電源回路８７から供給される電源電位を利用して動作する。また、電源回路８７は、所定の基準電位を生成するとともに第１表示体１０や第２表示体２０の対向電極（共通電極）に供給する。
【００４６】
以上に説明したように本形態においては、第１表示体１０と第２表示体２０とで信号処理部８４や電源回路８７が共用されるから、第１表示体１０および第２表示体２０の各々に信号処理部８４や電源回路８７を配置した構成と比較して、表示装置１００にて消費される電力や表示装置１００の製造に必要なコストを削減することが可能である。なお、図８においては第３実施形態を基礎とした形態を説明したが、信号処理部８４や電源回路８７を第１表示体１０と第２表示体２０とで共用する構成は、第１実施形態や第２実施形態や第４実施形態においても同様に採用される。
【００４７】
＜Ｆ：変形例＞
以上の各形態には様々に変形される。具体的な変形の態様を以下に例示する。なお、以下の例示から２以上の態様を任意に選択して組合わせてもよい。
【００４８】
（１）変形例１  
第１表示体１０のデータ線１７の本数と第２表示体２０のデータ線２７の本数とは相違してもよい。同様に、第１表示体１０の走査線１５の本数と第２表示体２０の走査線２５の本数とは相違してもよい。また、第１表示体１０や第２表示体２０とでサイズ（例えば表示領域や基板のサイズ）が相違する構成も採用される。なお、第１表示体１０および第２表示体２０のうちサイズの小さい表示体に走査線駆動回路４２やデータ線駆動回路４４を配置した構成が好適である。
【００４９】
（２）変形例２  
第１実施形態および第２実施形態における信号制御部５２や第２実施形態における信号制御部５４は第２表示体２０に設置されてもよい。同様に、第３実施形態における各スイッチ（ＳＷa1，ＳＷa2，ＳＷb1，ＳＷb2）が第２表示体２０に配置された構成や第５実施形態における信号処理部８４または電源回路８７が第１表示体１０に配置された構成も好適である。
【００５０】
（３）変形例３  
第１表示体１０と第２表示体２０とが一体をなす構成（例えばひとつの基板の表面に表示領域Ａ1と表示領域Ａ2とが画定された構成）も採用される。また、走査線駆動回路４２（４２A，４２B）やデータ線駆動回路４４（４４A，４４B）は、集積回路の形態で実装されてもよいし表示装置１００に対して外付けされてもよい。
【００５１】
（４）変形例４  
液晶容量は電気光学素子の例示に過ぎない。本発明に適用される電気光学素子について、自身が発光する自発光型と外光の透過率を変化させる非発光型との区別や、電流の供給によって駆動される電流駆動型と電界（電圧）の印加によって駆動される電圧駆動型との区別は不問である。例えば、有機ＥＬ（Electroluminescence）素子，無機ＥＬ素子，電界電子放出素子（ＦＥ（Field-Emission）素子），表面伝導型電子放出素子（ＳＥ（Surface conduction Electron emitter）素子），弾道電子放出素子（ＢＳ（Ballistic electron Emitting）素子），ＬＥＤ（Light Emitting Diode）素子，電気泳動素子、エレクトロクロミック素子など様々な電気光学素子を利用した表示装置に本発明は適用される。
【００５２】
＜Ｇ：応用例＞
次に、本発明に係る表示装置を利用した電子機器について説明する。図９ないし図１１には、以上に説明した何れかの形態に係る表示装置１００を利用した電子機器の形態が図示されている。
【００５３】
図９は、表示装置１００を採用したモバイル型のパーソナルコンピュータの構成を示す斜視図である。パーソナルコンピュータ２０００は、表示装置１００と、電源スイッチ２００１やキーボード２００２が設置された本体部２０１０とを具備する。表示装置１００が本体部２０１０に対して開いた状態では図９のように第１表示体１０の表示領域Ａ1を利用者が視認し、表示装置１００が本体部２０１０に対して閉じられた状態では第２表示体２０の表示領域Ａ2を利用者が視認する。
【００５４】
図１０は、表示装置１００を利用した携帯電話機の構成を示す斜視図である。携帯電話機３０００は、複数の操作ボタン３００１およびスクロールボタン３００２と、以上の各形態に係る表示装置１００とを具備する。表示装置１００が操作ボタン３００１に対して開かれた状態では図１０のように第１表示体１０の表示領域Ａ1が利用者に視認され、表示装置１００が操作ボタン３００１側に閉じられた状態では第２表示体２０の表示領域Ａ2が利用者に視認される。
【００５５】
図１１は、表示装置１００を利用した携帯情報端末（ＰＤＡ：Personal Digital Assistants）の構成を示す斜視図である。携帯情報端末４０００は、複数の操作ボタン４００１および電源スイッチ４００２と、以上の各形態に係る表示装置１００とを具備する。第１表示体１０（表示領域Ａ1）は携帯情報端末４０００の表面側（操作ボタン４００１の配置側）に配置され、第２表示体２０は背面側に配置される。電源スイッチ４００２を操作すると、住所録やスケジュール帳といった様々な情報が表示装置１００に表示される。
【００５６】
なお、本発明に係る表示装置が適用される電子機器としては、図９から図１１に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００５７】
【図１】本発明の第１実施形態に係る表示装置のブロック図である。
【図２】単位回路の回路図である。
【図３】表示装置の動作を示すタイミングチャートである。
【図４】第１実施形態の変形例に係る表示装置のブロック図である。
【図５】第２実施形態に係る表示装置の部分的な構成を示すブロック図である。
【図６】第３実施形態に係る表示装置の構成を示すブロック図である。
【図７】第４実施形態に係る表示装置の構成を示すブロック図である。
【図８】第５実施形態に係る表示装置の構成を示すブロック図である。
【図９】電子機器の形態（パーソナルコンピュータ）を示す斜視図である。
【図１０】電子機器の形態（携帯電話機）を示す斜視図である。
【図１１】電子機器の形態（携帯情報端末）を示す斜視図である。
【符号の説明】
【００５８】
１００……表示装置、１０……第１表示体、２０……第２表示体、１５，２５……走査線、１７，２７……データ線、Ａ1，Ａ2……表示領域、Ｐ1，Ｐ2……画素、４２，４２A，４２B……走査線駆動回路、４４，４４A，４４B……データ線駆動回路、５２，５４……信号制御部、５１……第１部分、５２……第２部分、５１１，５２１……保持部、５１３，５２３……出力部、ＳＷ1，ＳＷ2，ＳＷa1，ＳＷa2，ＳＷb1，ＳＷb2……スイッチ、７０……制御回路。
【図１】
2009157258.tif 000003
【図２】
2009157258.tif 000004
【図３】
2009157258.tif 000005
【図４】
2009157258.tif 000006
【図５】
2009157258.tif 000007
【図６】
2009157258.tif 000008
【図７】
2009157258.tif 000009
【図８】
2009157258.tif 000010
【図９】
2009157258.tif 000011
【図１０】
2009157258.tif 000012
【図１１】
2009157258.tif 000013